(57)【要約】  電気的な構成エレメント用のハウジング、およびハウジングボディ（１）をハウジングカバー（３）に結合する方法。本発明は、底部プレート（２）に複数の構成エレメントが配置されているハウジングボディ（１）と、ハウジングカバー（３）とを備える、ハウジングに関する。ハウジングカバー（３）は、複数のクリンプ舌片（３．１）によって底部プレート（２）に取り付けられており、これらのクリンプ舌片（３．１）は、ハウジングカバーが形状接続式にハウジングボディ（１）に結合されるように折り曲げられている。本発明はさらに、ハウジングをハウジングカバー（３）に結合する方法に関する。底部プレート（２）の縁部領域が、ハウジングボディ（１）の載着面を越えて張り出しており、この載着面のところで、折り曲げられたクリンプ舌片（３．１）が載着している。好ましくは、クリンプ舌片（３．１，３．２）のうちのいくつかが、延長されたクリンプ舌片（３．２）として形成されており、これらの延長されたクリンプ舌片（３．２）は、底部プレート（２）に載着されたハウジングボディ（１）の水平なボディ面を部分的に取り囲んでいる。ハウジングをハウジングカバー（３）に結合する本発明による方法では、ハウジングボディ（１）の底部面に対応する底部面を備えたハウジングカバー（３）を製造し、この場合、ハウジングカバー（３）には、側方の複数のクリンプ舌片（３．１）が配置されており、これらのクリンプ舌片（３．１）は、クリンプによる接合過程の後に、底部プレート（２）の対応する平坦な面に載着されるようになっている。
2020502812.tif 000002
【特許請求の範囲】
【請求項１】
底部プレート（２）に複数の構成エレメントが配置されているハウジングボディ（１）と、ハウジングカバー（３）とを備える、電気的な構成エレメント用のハウジングであって、
前記ハウジングカバー（３）は、複数のクリンプ舌片（３．１）によって前記底部プレート（２）に取り付けられており、該クリンプ舌片（３．１）は、前記ハウジングカバー（３）が形状接続式に前記ハウジングボディ（１）に結合されるように折り曲げられており、前記底部プレート（２）の、前記折り曲げられたクリンプ舌片（３．１）が載着する縁部領域が、前記ハウジングボディ（１）の載着面を越えて張り出していることを特徴とする、電気的な構成エレメント用のハウジング。
【請求項２】
前記クリンプ舌片（３．１，３．２）のうちのいくつかが、延長されたクリンプ舌片（３．２）として形成されており、該延長されたクリンプ舌片（３．２）は、前記底部プレート（２）に載着された前記ハウジングボディ（１）の水平なボディ面を、部分的に取り囲んでいることを特徴とする、請求項１記載のハウジング。
【請求項３】
前記底部プレート（２）は、プリント回路を含むことを特徴とする、請求項１または２記載のハウジング。
【請求項４】
前記ハウジングカバー（３）は、鋼薄板から成ることを特徴とする、請求項１から３までのいずれか１項記載のハウジング。
【請求項５】
電気的な構成エレメント用のハウジングをハウジングカバー（３）に結合する方法であって、以下の方法ステップ、すなわち、
電気的な構成エレメントのための、底部プレート（２）を備えたハウジングボディ（１）を準備するステップと、
前記ハウジングボディ（１）の底部面に対応する底部面を備えたハウジングカバー（３）を製造するステップであって、該ハウジングカバー（３）に、側方のクリンプ舌片（３．１）が配置されており、該クリンプ舌片（３．１）が、クリンプによる接合過程の後に、前記底部プレート（２）の対応する平坦な面に載着するようになっている、ステップと、
前記側方のクリンプ舌片（３．１）の塑性変形によって、前記ハウジングカバー（３）を前記ハウジングボディ（１）に取り付けるステップと、
を含むことを特徴とする方法。
【請求項６】
前記ハウジングカバー（３）に、側方の追加的な延長されたクリンプ舌片（３．２）が配置されており、該延長されたクリンプ舌片（３．２）は、クリンプによる接合過程の後に、前記ハウジングボディ（１）および／または付加構成部分（４）の対応する平坦な面に載着するようになっていることを特徴とする、請求項５記載の方法。
【請求項７】
前記ハウジングカバー（３）を、鋼から成る薄板部材の打抜きによって製造することを特徴とする、請求項６または７記載の方法。
【発明の詳細な説明】
【技術分野】
【０００１】
本発明は、底部プレートに複数の構成エレメントが配置されているハウジングボディと、ハウジングカバーとを備える、ハウジングに関する。
【０００２】
本発明はさらに、ハウジングをハウジングカバーに結合する方法に関する。
【０００３】
本発明は、特に、自動車に設けられる電子制御装置のハウジングに適している。
【背景技術】
【０００４】
特にパワーエレクトロニクスの分野では、電気的な構成エレメントおよび電子的な構成エレメントにハウジングが装備され、このハウジングは、ハウジングカバーによって密に閉鎖されている。
【０００５】
ハウジングカバーをハウジングに取り付けるために、様々な結合方法が汎用されている。ねじ結合およびリベット締結の他に、クリンプ（圧着）結合も用いられる。
【０００６】
独国特許出願公開第１０２０１１０８６８９６号明細書には、ハウジングを備えた電気的な構成エレメントが記載されている。このハウジングからは接続ピンが突出している。この接続ピンは、スルーホール実装によって、プリント基板に導電的に結合されている。接続ピンの、ハウジングから突出した部分は、弾性材料によって取り囲まれており、この弾性材料は、流体密にハウジングに結合されている。
【発明の概要】
【発明が解決しようとする課題】
【０００７】
本発明の根底にある課題は、冒頭に挙げた形式のハウジングおよび方法を改良することである。
【課題を解決するための手段】
【０００８】
本発明によれば、この課題の解決は、請求項１に記載の諸特徴を有するハウジングと、請求項５に記載の諸特徴を有する方法とによって達せられる。
【０００９】
有利な態様は、従属形式の請求項の対象である。
【００１０】
ハウジングは、底部プレートに取り付けられたハウジングボディを有しており、底部プレートには、複数の電気的および／または電子的な構成エレメントが配置されている。底部プレートは、ハウジングカバーに結合されている。ハウジングカバーは、底部プレートに、複数のクリンプ舌片によって取り付けられており、これらのクリンプ舌片は、ハウジングカバーが形状接続式にハウジングボディに結合されるように折り曲げられている。この場合、底部プレートの、折り曲げられたクリンプ舌片が載着する縁部領域が、ハウジングボディの載着面を越えて張り出している。
【００１１】
有利な態様では、複数のクリンプ舌片のうちのいくつかが、延長されたクリンプ舌片として形成されている。これらの延長されたクリンプ舌片は、底部プレートと、底部プレートに載着された付加構成部分の鉛直な面とを取り囲んでおり、この場合、延長されたクリンプ舌片の端部は、ハウジングボディの水平なボディ面に載着している。
【００１２】
ハウジングの別の有利な態様では、底部プレートにプリント回路が配置されている。
【００１３】
電気的な構成エレメント用のハウジングをハウジングカバーに結合する方法は、以下のように実施される。
【００１４】
ハウジングボディと底部プレートとから成るハウジングを準備した後に、ハウジングカバーを製造する。ハウジングカバーには、側方の複数のクリンプ舌片を配置し、この場合、クリンプによる接合過程の後に、これらのクリンプ舌片が、底部プレートの対応する平坦な面に載着するようにクリンプ舌片を配置する。ハウジングボディにおけるハウジングカバーの取付けは、これらの側方のクリンプ舌片の塑性変形によって行われる。
【００１５】
本方法の有利な態様では、ハウジングカバーの側方に、追加的な複数の延長されたクリンプ舌片を配置し、この場合、クリンプによる接合過程の後に、これらの延長されたクリンプ舌片が、ハウジングボディおよび／または別の構成部分の対応する平坦な面に載着するように、延長されたクリンプ舌片を配置する。
【００１６】
ハウジングカバーは、有利には、金属薄板部材の打抜きによって製造される。
【００１７】
以下に、本発明の実施形態を図面に基づき詳しく説明する。
【図面の簡単な説明】
【００１８】
【図１】ハウジングカバーが底部プレートのみにクリンプ結合されているハウジングの斜視図である。
【図２】ハウジングカバーが、追加的に付加構成部分にクリンプ結合されているハウジングの斜視図である。
【図３】図２に示したハウジングの平面図である。
【発明を実施するための形態】
【００１９】
図１に示すハウジングは、ハウジングボディ１からなり、ハウジングボディ１は底部プレート２を有しており、この底部プレート２にはプリント回路が取り付けられている。底部プレート２には、電気的および／または電子的な構成エレメントが配置されている。底部プレート２の下方には、ハウジングカバー３が設けられており、ハウジングカバー３の外側には、複数のクリンプ舌片３．１が設けられている。これらのクリンプ舌片３．１は、底部プレート２を取り囲んで底部プレート２の上側に載着するように、塑性変形されている。これにより、底部プレート２は、密な取付け形式によってハウジングボディ１に保持されている。付加構成部分４が、別個の結合形式によって、底部プレート２に取り付けられている。この付加構成部分４は、特に、プリント回路のための接続線路を収容するとともに案内するために使用することができる。たとえば、付加構成部分４内にコネクタアッセンブリが収納されていてよい。付加構成部分４が底部プレート２に載着している領域においてハウジングカバー３を底部プレート２に取り付けることができるようにするためには、底部プレート２が、張出し部を有していなければならず、この張出し部に、折り曲げられたクリンプ舌片３．１の端部が載着する。
【００２０】
図２に斜視図で示したハウジングでは、ハウジングカバーが、クリンプ舌片３．１のほかになお、複数の延長されたクリンプ舌片３．２を有している。これらの延長されたクリンプ舌片３．２によって、ハウジングカバー３は、底部プレート２と付加構成部分４とに一緒に取り付けられている。この場合、底部プレート２の張出し部は必要とならない。これにより、ハウジングアッセンブリ全体を小型化することができ、したがって構成スペースの削減を可能にすることができる。さらには、これによりプリント回路のレイアウトの最適化を達成することができる。
【００２１】
図３には、図２に基づき説明したハウジング構成の平面図が示されている。
【符号の説明】
【００２２】
１  ハウジングボディ
２  底部プレート
３  ハウジングカバー
３．１  クリンプ舌片
３．２  延長されたクリンプ舌片
４  付加構成部分
【図１】
2020502812.tif 000003
【図２】
2020502812.tif 000004
【図３】
2020502812.tif 000005
【国際調査報告】
2020502812.tif 000006
2020502812.tif 000007
2020502812.tif 000008
2020502812.tif 000009